(57)【要約】  無線チャネルの中のシンボルを検出し、セル識別を行うための方法とデバイスが開示される。無線チャネルから信号が受信され、その信号はシンボルに応答するフィルタによってフィルタリングされ、それにより第１の信号が求められる。受信信号の雑音フロアに依存する第２の信号が求められ、それによりマルチパス成分を含むと予想される時間区間が除外または抑圧される。第１の信号と雑音フロアとの間の比である第３の信号が求められ、第３の信号の中のピークを検出することにより、シンボルの存在が検出される。
2011501487.tif 000002
【特許請求の範囲】
【請求項１】
無線チャネルの中のシンボルを検出するための方法であって、
前記無線チャネルからの信号を受信するステップ（１００、２００、３００）と、
前記シンボルに応答する第１のフィルタを通して前記受信信号をフィルタリングし、それにより第１の信号を得るステップ（１１０、２１０、３１０）と、
前記受信信号の雑音フロア推定値を求め、それによりマルチパス成分を含むと予想される時間区間を除外または抑圧するステップ（１２０、２２０、３２０）と、
前記第１の信号と前記雑音フロア推定値との比として表現される第２の信号を求めるステップ（１３０、２３０、３３０）と、
前記第２の信号の中のピークを検出することにより前記シンボルの存在を検出するステップ（１４０、２４０、３４０）とを備えることを特徴とする方法。
【請求項２】
雑音フロア推定値を求める前記ステップは、
前記推定を前記受信信号のディジタル表現に基づいて行うステップと、
マルチパス成分を含むと予想されるサンプルの数の２倍に本質的に対応する数のサンプルを除外または抑圧するステップと
を備えることを特徴とする請求項１に記載のシンボルを検出するための方法。
【請求項３】
雑音フロア推定値を求める前記ステップは、
前記推定を前記第１の信号に基づいて行うステップを備えることを特徴とする請求項１または２に記載のシンボルを検出するための方法。
【請求項４】
雑音フロア推定値を求める前記ステップは、
前記信号の電力および／または振幅に応答する第２のフィルタを通して前記受信信号の表現をフィルタリングするステップを備えることを特徴とする請求項１乃至３のいずれか１項に記載の、シンボルを検出するための方法。
【請求項５】
前記雑音フロア推定値Ｎｔは、
2011501487.tif 000011
なる式によって求められ、Ｘｔは前記信号であり、前記雑音フロア推定はＸｔに基づいて行われ、ｍ１およびｍ２は前記雑音フロアの推定に使用する前記サンプルであり、２ｎはマルチパス成分を含むと予想される前記サンプルであることを特徴とする請求項１乃至４のいずれか１項に記載のシンボルを検出するための方法。
【請求項６】
ｎは巡回プレフィックス（Ｎｃｐ）の時間に本質的に対応するサンプルの数に設定されることを特徴とする請求項５に記載の、シンボルを検出するための方法。
【請求項７】
前記第１の信号Ｄｔは、
2011501487.tif 000012
なる式によって求められ、Ｓｔ＊は長さＮの前記シンボルの列であり、ｙｔは前記受信信号を表すことを特徴とする請求項１乃至６のいずれか１項に記載のシンボルを検出するための方法。
【請求項８】
前記検出されたシンボルが存在するところのタイミングを検出するステップをさらに備えることを特徴とする請求項１乃至７のいずれか１項に記載のシンボルを検出するための方法。
【請求項９】
前記シンボルが存在するところの前記タイミングtiming(peak)は、
2011501487.tif 000013
なる式によって求められ、Ｄｔ〜は前記第２の信号を表すことを特徴とする請求項８に記載の、シンボルを検出するための方法。
【請求項１０】
前記無線チャネルが周波数分割複信で動作しているかを判定し、もしそうであれば、
前記第１のフィルタを通して前記受信信号のフィルタリングを行い、それにより第３の信号を得るステップと、
前記第３の信号の中のピークを検出することにより前記シンボルの前記存在を検出するステップとによって前記シンボルの検出を行うステップとをさらに備えることを特徴とする請求項１乃至９のいずれか１項に記載のシンボルを検出するための方法。
【請求項１１】
無線通信システムにおいてセルＩＤを識別するための方法であって、
プライマリ同期チャネルからの信号を受信し、それにより第１の受信信号を得るステップ（３００）と、
同期シンボルに応答する第１のフィルタを通して前記第１の受信信号のフィルタリングを行い、それにより第１の信号を得るステップ（３１０）と、
前記第１の受信信号の雑音フロアに依存する第２の信号を求め、それによりマルチパス成分を含むと予想される時間区間を除外または抑圧するステップ（３２０）と、
前記第１の信号と前記第２の信号との比として表現される第３の信号を求めるステップ（３３０）と、
前記第３の信号の中のピークを検出することにより前記シンボルの存在とタイミングを検出するステップ（３４０）と、
セカンダリ同期チャネルからの信号を受信し、それにより第２の受信信号を得るステップ（３５０）と、
前記第２の受信信号からフレームタイミングとセルグループとを検出するステップ（３６０）と、
利用可能なセルＩＤ符号と相関をとることにより前記セルＩＤを検出するステップ（３７０）とを備えることを特徴とする方法。
【請求項１２】
前記第２の受信信号からフレームタイミングとセルグループとを検出する前記ステップは、
前記第３の信号の中のピークによって検出された前記シンボルの前記タイミングを利用して前記フレームタイミングとセルグループとを検索するステップを備えることを特徴とする請求項１１に記載のセルＩＤを識別するための方法。
【請求項１３】
雑音フロア推定値を求める前記ステップは、
前記推定を前記受信信号のディジタル表現に基づいて行うステップと、
マルチパス成分を含むと予想されるサンプルの数の２倍に本質的に対応する数のサンプルを除外または抑圧するステップと
を備えることを特徴とする請求項１１または１２に記載のセルＩＤを識別するための方法。
【請求項１４】
雑音フロア推定値を求める前記ステップは、
前記推定を前記第１の信号に基づいて行うステップを備えることを特徴とする請求項１１乃至１３のいずれか１項に記載のセルＩＤを識別するための方法。
【請求項１５】
雑音フロア推定値を求める前記ステップは、
前記信号の電力および／または振幅に応答する第２のフィルタを通して前記受信信号の表現をフィルタリングするステップを備えることを特徴とする請求項１１乃至１４のいずれか１項に記載のセルＩＤを識別するための方法。
【請求項１６】
雑音フロア推定値Ｎｔは、
2011501487.tif 000014
なる式によって求められ、Ｘｔは前記信号であり、前記雑音フロア推定はＸｔに基づいて行われ、ｍ１およびｍ２は前記雑音フロアの推定に使用する前記サンプルであり、２ｎはマルチパス成分を含むと予想される前記サンプルであることを特徴とする請求項１１乃至１５のいずれか１項に記載のセルＩＤを識別するための方法。
【請求項１７】
ｎは巡回プレフィックス（Ｎｃｐ）の時間に本質的に対応するサンプルの数に設定されることを特徴とする請求項１６に記載の、シンボルを検出するための方法。
【請求項１８】
前記第１の信号Ｄｔは、
2011501487.tif 000015
なる式によって求められ、Ｓｔ＊は長さＮの前記シンボルの列であり、ｙｔは前記受信信号を表すことを特徴とする請求項１１乃至１７のいずれか１項に記載のシンボルを検出するための方法。
【請求項１９】
前記検出されたシンボルが存在するところのタイミングを検出するステップをさらに備えることを特徴とする請求項１１乃至１８のいずれか１項に記載の、シンボルを検出するための方法。
【請求項２０】
前記シンボルが存在するところの前記タイミングtiming(peak)は、
2011501487.tif 000016
なる式によって求められ、Ｄｔ〜は前記第２の信号を表すことを特徴とする請求項１９に記載のシンボルを検出するための方法。
【請求項２１】
前記無線チャネルが周波数分割複信で動作しているかを判定し、もしそうであれば、
同期シンボルに応答する前記第１のフィルタを通して前記第１の受信信号のフィルタリングを行い、それにより第４の信号を得るステップと、
前記第４の信号の中のピークを検出することにより、前記シンボルの前記存在とタイミングとを検出するステップと、
セカンダリ同期チャネルから信号を受信し、それにより第２の受信信号を得るステップと、
前記第２の受信信号からフレームタイミングとセルグループとを検出するステップと、
利用可能なセルＩＤ符号との相関をとることにより前記セルＩＤを検出するステップと
によって前記セルＩＤの検出を行うステップをさらに備えることを特徴とする請求項１１乃至２０のいずれか１項に記載のシンボルを検出するための方法。
【請求項２２】
前記第２の受信信号からフレームタイミングとセルグループとを検出する前記ステップは、
前記第４の信号の中のピークによって検出された前記シンボルの前記タイミングを利用して前記フレームタイミングとセルグループとを検索するステップを備えることを特徴とする請求項２１に記載の、セルＩＤを識別するための方法。
【請求項２３】
無線チャネルのシンボルを検出することができる通信デバイス（７００）であって、
前記無線チャネルからの信号を受信するための受信機（７０２−７０５）と、
前記受信機に接続され、前記シンボルに応答する第１のフィルタ（８０１）と、
前記受信機または前記第１のフィルタに接続され、前記受信信号の雑音フロアに依存した信号を供給するよう構成され、それによりマルチパス成分を含むと予想される時間区間を除外または抑圧する雑音フロア推定器（８０２）と、
前記第１のフィルタと前記雑音フロア推定器とに接続され、前記第１のフィルタからの前記信号と前記雑音フロア推定器からの前記信号との間の比を算出するよう構成された算出ユニット（８０３）と、
前記算出ユニットに接続され、前記算出ユニットからの前記信号の中のピークを検出するよう構成された検出器（８０４）とを備えることを特徴とする通信デバイス。
【請求項２４】
前記雑音フロア推定器は、マルチパス成分を含むと予想されるサンプルの数の２倍に本質的に対応する数のサンプルを除外または抑圧するよう構成されることを特徴とする請求項２３に記載の通信デバイス。
【請求項２５】
前記雑音フロア推定器は、前記信号の電力および／または振幅に応答する第２のフィルタを備えることを特徴とする請求項２３または２４に記載の通信デバイス。
【請求項２６】
前記雑音フロア推定器は、前記雑音フロア推定値Ｎｔを、
2011501487.tif 000017
なる式によって算出するよう構成され、Ｘｔは前記信号であり、前記雑音フロア推定はＸｔに基づいて行われ、ｍ１およびｍ２は前記雑音フロアの推定に使用する前記サンプルであり、２ｎはマルチパス成分を含むと予想される前記サンプルであることを特徴とする請求項２３乃至２５のいずれか１項に記載の通信デバイス。
【請求項２７】
ｎは巡回プレフィックス（Ｎｃｐ）の時間に本質的に対応するサンプルの数に設定されることを特徴とする請求項２６に記載の通信デバイス。
【請求項２８】
前記第１のフィルタは、信号Ｄｔを
2011501487.tif 000018
なる式によって算出するよう構成され、Ｓｔ＊は長さＮの前記シンボルの列であり、ｙｔは前記受信信号を表すことを特徴とする請求項２３乃至２７のいずれか１項に記載の通信デバイス。
【請求項２９】
前記検出されたシンボルが存在するところの前記タイミングを検出するよう構成されたセル探索ユニット（７０９）をさらに備えることを特徴とする請求項２３乃至２８のいずれか１項に記載の通信デバイス。
【請求項３０】
前記セル探索ユニットは、timing(peak)を、
2011501487.tif 000019
なる式によって算出するよう構成され、Ｄｔ〜は前記第１のフィルタからの前記信号と前記雑音フロア推定器からの前記信号との間の比を表すことを特徴とする請求項２９に記載の通信デバイス。
【請求項３１】
前記セル探索ユニットに接続され、前記検出されたシンボルが存在するところの前記タイミングに応答するよう構成された高速フーリェ変換器ＦＦＴをさらに備えることを特徴とする請求項２９または３０に記載の通信デバイス。
【請求項３２】
前記無線チャネルが周波数分割複信かまたは時分割複信のどちらで動作しているかを判定するよう構成された制御ユニット（７１０）をさらに備えることを特徴とする請求項２３乃至３１のいずれか１項に記載の通信デバイス。
【請求項３３】
前記セル探索ユニットと前記ＦＦＴと前記制御ユニットとに接続され、利用可能なセルＩＤ符号との相関をとることにより前記セルＩＤを検出するよう構成された符号識別子検出器（７０７）をさらに備えることを特徴とする請求項２３乃至３２のいずれか１項に記載の通信デバイス。
【請求項３４】
前記デバイスはセルラ電話機であることを特徴とする請求項２３乃至３３のいずれか１項に記載の通信デバイス。
【発明の詳細な説明】
【技術分野】
【０００１】
本発明はシンボルを検出するための方法とセルを識別する方法に関する。本発明はまた、シンボルの検出とセルの識別とを行うことが可能な通信デバイスに関する。
【背景技術】
【０００２】
ＧＳＭおよびＷＣＤＭＡ等の、移動セルラ標準規格のきたるべき進化においては、ＯＦＤＭ等の新しい伝送技術が恐らくは出来するであろう。さらに、現行の無線スペクトラムの中で、現行のセルラシステムから新しい大容量高速データレートシステムへの滑らかな移行を行うためには、新しいシステムは、柔軟な周波数帯域幅において、また周波数分割複信（ＦＤＤ：frequency division duplex）モードおよび時分割複信（ＴＤＤ：time division duplex）モードで動作しなければならない。このような新しい柔軟なセルラシステムに対する提案には、第３世代長期進化（３ＧＬＴＥ：3GLong Term Evolution）があり、これは３ＧＷＣＤＭＡ標準規格の進化型であると見ることができる。このシステムでは、ダウンリンクでは多元接続技術としてＯＦＤＭ（ＯＦＤＭＡと呼ばれる）が使用されるであろう。そして、１．２５ＭＨｚから２０ＭＨｚにわたる周波数帯域幅で動作することができるであろう。さらに、最も広い帯域幅に対しては、１００Ｍｂ／ｓまでおよびそれ以上のデータレートがサポートされるであろう。しかしながら、３ＧＬＴＥは高速サービスばかりでなく音声のような低速サービスにも使用されることが予想される。３ＧＬＴＥはパケットデータ（ＴＣＰ／ＩＰ）に対して設計されているので、ＶｏＩＰ（Voiceover Internet Protocol）は音声を運ぶサービスとなるであろう。
【０００３】
ＬＴＥおよび同様のシステムの１つの重要な視点はモビリティ機能であり、従って、セルラ電話機等のユーザ装置（ＵＥ）が隣接セルを検出し隣接セルと同期を取るために、同期シンボルの手順およびセル探索の手順が第１に重要である。
【０００４】
無線チャネルの中のシンボルを検出するための公知の方法は、そのシンボルを使用して受信信号に整合フィルタリングを行い、フィルタリングした信号の中のピークを求めるステップを備える。
【０００５】
本方法は、ユーザ装置がセルを識別するための公知の方法の中で使用される。この場合には、ユーザ装置は同期チャネルからの信号を受信する。受信した信号は、同期シンボルを使用して整合フィルタリングが施されて、フィルタリングされた信号のピークとそれに対応したタイミングとが求められる。整合フィルタから求められたタイミング情報は、後のセル探索の段階、すなわち、フレームタイミングとセルアイデンティティを求める段階に使用される。
【発明の概要】
【発明が解決しようとする課題】
【０００６】
無線チャネルの中のシンボルを検出するための方法とセルを識別する方法と、それに対応するデバイスの公知のものは、少なくとも幾つかの動作シナリオにおいては適切に機能するが、これらは多くの欠点を有する。
【０００７】
例えば、時分割複信のシナリオにおいて、２つのユーザ装置が互いに物理的に近距離に位置して、それらの内の１つが基地局と通信を行い、他方は初期セル探索を行っている（最初に、同期シンボルの識別を試みる）場合を考える。後者のユーザ装置はタイミングがわからないであろう。そして、前者のユーザ装置が送信しているときには、後者のユーザ装置の受信機で受信される前者のユーザ装置からの干渉は、基地局からのダウンリンク信号よりもずっと大きい。
【０００８】
公知の方法（およびそれに対応するデバイス）の欠点は、このことに影響されてシンボル整合とタイミング検出とに誤りが生ずるであろうという点である。同期シンボルの検出等の、シンボル検出に対する標準的な整合フィルタリングの技術は、ある動作シナリオにおいては、非常に悪い検出動作を行う危険性を有するであろう。この結果、初期同期には大幅に長い時間を要するであろう。そして、新しいセルにハンドオーバを行う必要があって初期セル探索を実行するユーザ装置がセル識別を行う場合に、セル識別の速度が遅ければハンドオーバ途中で呼が失われる危険性がある。
【０００９】
本発明の目的は、シンボルを検出するための方法とセルを識別するための方法と、それに対応するデバイスとを提供し、それにより上記で述べた欠点をある程度克服または低減することである。
【課題を解決するための手段】
【００１０】
本発明の１つの態様に従えば、シンボルを検出するための方法が提供される。本方法では、無線チャネルから信号を受信し、その受信信号はそのシンボルを使用してフィルタリングされる（すなわち、整合フィルタリングされる）。受信信号の雑音フロアが求められ、それにより、マルチパス成分を含むと予想される時間区間が除去または抑圧される。シンボル検出は整合フィルタ出力と雑音フロア推定値との間の比に基づいて行われる。
【００１１】
本発明の別の態様に従えば、セルを識別する方法が提供される。本方法では、同期チャネルから信号を受信し、その受信信号は同期シンボルを使用してフィルタリングされる（すなわち、整合フィルタリングされる）。受信信号の雑音フロアが求められ、それにより、マルチパス成分を含むと予想される時間区間が除去または抑圧される。シンボル検出は整合フィルタ出力と雑音フロア推定値との間の比に基づいて行われる。フレームタイミングとセルグループとは受信信号から求められ、その後に、この情報を使用してセルの識別が行われる。
【００１２】
本発明の別の態様に従えば、シンボルを検出するための方法に従ってシンボルを検出することができる通信デバイスと、セルを識別する方法に従ってセルを識別することができる通信デバイスとが提供される。
【００１３】
幾つかの実施形態に関連する利点は、検出器は干渉シナリオに対して、特に時分割複信システムにおいて生ずることがある干渉シナリオに対して非常に堅牢（robust）である点である。
【００１４】
本発明の幾つかの実施形態に関連する更なる利点は、時分割複信の場合に対する同期時間を改善でき、周波数分割複信と同様な同期時間を達成することができる点である。これによって、本発明に基づく通信デバイスは、それを接続することができるセルをより速く識別し、それにより呼が欠落する機会を低減し、またデバイスの接続開始の時間を改善することができるという利点を有する。
【００１５】
本発明の幾つかの実施形態に関連する更なる利点は、時分割複信モードまたは周波数分割複信モードのどちらの動作に対しても独立に、デバイスはセル識別に対して同じステップを使用することができるという点である。
【図面の簡単な説明】
【００１６】
【図１】２つのユーザ装置が使用されるＦＤＤシナリオを示す図である。
【図２】ＦＤＤシナリオを示すタイムチャートである。
【図３】２つのユーザ装置が使用されるＴＤＤシナリオを示す図である。
【図４】ＴＤＤシナリオを示すタイムチャートである。
【図５】本発明の１つの実施形態を示すフローチャートである。
【図６】本発明の１つの実施形態を示すフローチャートである。
【図７】本発明の１つの実施形態を示すフローチャートである。
【図８】本発明の実施形態に従ったユーザ通信デバイスを示すブロック図である。
【図９】本発明のセル探索ユニットの第１の段階を示すブロック図である。
【発明を実施するための形態】
【００１７】
本発明の実施形態を、例示のみの目的で下記に記述する。図中に描かれた詳細は実際の寸法ではないこともあるという点に注意を要する。図の詳細なる寸法は本発明の理解をよりよくするために選定されたものである。
【００１８】
下記の記述は３ＧＰＰＬＴＥシステムのＴＤＤモードにおけるＰ−ＳＣＨ検出に基づいている。しかし、本発明は、ＯＦＤＭに基づいた他のセルラシステム（例えばＷｉｍａｘ）においても実施し使用することができる。
【００１９】
ＬＴＥに対して現在提案されているセル探索方式は以下の通りである（３ＧＰＰ（ＥＳＴＩ）資料Ｒ１−０６２９９０を参照している）。
１．プライマリ同期チャネル（Ｐ−ＳＣＨ：PrimarySynchronization Channel）を使用して新しいセルの５ｍｓタイミングを検出する。
２．セカンダリ同期チャネル（Ｓ−ＳＣＨ：SecondarySynchronization Channel）を使用してフレームタイミングとセルグループとを検出する。
３．基準シンボルを使用してセル識別子（セルＩＤ）を検出する。
４．ブロードキャストチャネル（ＢＣＨ：Broadcast Channel）を読みセルに特化したシステム情報を受信する。
【００２０】
それぞれのステップにおいて取得する同期チャネル（ＳＣＨ）のシンボルと情報に関連して、セル探索が周波数分割複信（ＦＤＤ）動作および時分割複信（ＴＤＤ）動作において同一であることができるならば、それは有利なことであろう。
【００２１】
しかしながら、干渉シナリオはＦＤＤおよびＴＤＤにおいては異なるので、公知のＰ−ＳＣＨ検出技術はＴＤＤにおいては幾つかの欠点を有する。
【００２２】
ＦＤＤにおいては、アップリンクとダウンリンクとでは異なる搬送波周波数が使用される。図１は２つのユーザ装置ＡおよびＢが存在する場合のＦＤＤシナリオを示す。ユーザ装置ＡおよびＢは互いに物理的に近接した距離にあり、Ａは基地局ＢＳと通信を行っている。図２はＦＤＤシナリオのタイムチャートを示す。特定な幾つかの時刻に、ユーザ装置Ａはダウンリンク（ＤＬ）（搬送波Ｆｄ）の上で情報を受信し、アップリンク（ＵＬ）（搬送波Ｆｕ）の上で情報を送信する。図２では、これはＤＬおよびＵＬの中の「Ａ」と記された時間ブロックで示されている。ユーザ装置Ｂは、接続可能なセルの探索、すなわち初期セル探索を行っている。ユーザ装置Ｂは、規則的な時間間隔で送信されるＰ−ＳＣＨの探索を開始する。送信されるＰ−ＳＣＨは図１ではＣＳで示され、図２ではＤＬの中で「ＳＣＨ」と記された時間ブロックで示されている。特に、ＦＤＤのＬＴＥの場合では、Ｐ−ＳＣＨは５ｍｓごとに送信される。Ｐ−ＳＣＨの探索は、典型的には、Ｐ−ＳＣＨ系列に整合フィルタリングを行うことによって実行される。数学的には、受信したＤＬをｙｔで表し、ｓｔを長さＮのＰ−ＳＣＨ系列とすれば、Ｐ−ＳＣＨ検出からの出力は下記の（式１）に従って行われる。
【００２３】
【数１】
2011501487.tif 000003
【数２】
2011501487.tif 000004
【００２４】
整合フィルタリングの中のピークtiming(peak)は、図２の中のｔｘで示され、Ｐ−ＳＣＨが送信される時刻に対応する時刻に得られて、従って、タイミング（ＬＴＥに対しては５ｍｓ）は整合フィルタからの出力の最大値が検出される時刻として見いだされる（式２に従って）。フレームタイミング（ＬＴＥに対しては１０ｍｓ）および他のシステム情報は後のセル探索段階で取得される。
【００２５】
同様のＴＤＤシナリオを図３に示す。それに対応するタイムチャートを図４に示す。この場合、ユーザ装置Ａは規則的な時間間隔（ＵＬ送信が許可される時間間隔）でＤＬ（Ｆｄ）と同じ搬送波の上で送信を行う。図４では、ユーザ装置Ａによる送信はＤＬ／ＵＬの中で「Ａ，ＵＬ」と記された時間ブロックで示されており、基地局からユーザ装置Ａに対する送信は、ＤＬ／ＵＬの中で「Ａ，ＤＬ」と記された時間ブロックで示されている。送信されるＰ−ＳＣＨは図３でＣＳによって示され、図４ではＤＬ／ＵＬの中で「ＳＣＨ」と記された時間ブロックで示されている。この場合、ユーザ装置Ａとユーザ装置Ｂとの間の距離は、Ｂと基地局ＢＳとの間の距離と比較してずっと小さいので、ユーザ装置Ｂの受信機（この段階では初期セル探索を行っていて、ＵＬおよびＤＬのタイミングを知らない）が受信する、ユーザ装置ＡからのＵＬ干渉はＤＬ信号よりもずっと大きくなる。この結果、雑音フロアはＰ−ＳＣＨの相関ピークよりもずっと高くなり、従って、タイミング検出には誤りが生ずる（図４ではユーザ装置Ａが送信している間のｔｘによって示されている）。
【００２６】
結果として、ＴＤＤシステムにおけるＰ−ＳＣＨ検出に対する標準的な整合フィルタリングの技術では、初期同期の時間が大幅に増すという、非常に劣悪な検出動作に陥る危険性がある。従って、このような干渉シナリオに対して堅牢なＰ−ＳＣＨ検出の技術が要求される。
【００２７】
本発明に従えば、Ｐ−ＳＣＨ検出は整合フィルタ出力と雑音フロア推定値との比に基づいて行い、それによって、マルチパス成分を含むと予想される時間区間を除外または抑圧するものである。この技術を使用して、近傍のサンプル（標本値）よりもずっと大きいピークを最大ピークと定義して、それにより、上記で記述したＴＤＤシナリオに対してより堅牢な検出器を実現するものである。ここで得られるＰ−ＳＣＨ検出器は閾値の何らの調整を行う必要がなく、ＴＤＤシステムに生ずる可能性のある干渉シナリオに対して非常に堅牢である。このＰ−ＳＣＨ検出は、（ＵＬの）干渉レベルがＤＬ干渉と比較して３５−４０ｄＢ高い場合でも正しく動作する。
【００２８】
本発明の１つの実施形態のフローチャートを図５に示す。ユーザ装置は信号Ｙｔを受信し（１００）、整合フィルタリングを行ってＤｔを得る（１１０）。時刻ｔにおける雑音フロアＮｔは、時刻ｔの近傍のいくつかのサンプルを除いて、いくつかの数のシンボルにわたる、整合フィルタからの出力の平均値として推定する（１２０）。いくつかのサンプルを除外する理由は、信号のマルチパス成分である可能性のあるサンプルを除外して、それにより、本質的にマルチパス成分でない雑音だけを測定することである。これにより、検出を、特に時分割複信システムにおいて生ずる可能性のある干渉シナリオに対して、非常に堅牢にすることができる。数学的には、（式３）のように書くことができる。
【００２９】
【数３】
2011501487.tif 000005
【数４】
2011501487.tif 000006
【数５】
2011501487.tif 000007
【００３０】
ここに、ｍ１およびｍ２は雑音フロアの推定に使用した（雑音）サンプルの数であり、２ｎはマルチパス成分を含むと予想することができるサンプルの数に対応している。ｎの値は典型的にｎ＝Ｎｃｐと選ぶことができ、このＮｃｐは巡回プレフィックス（ＣＰ：Cyclic Prefix）の時間に対応した数である。ＯＦＤＭシンボルでは、巡回プレフィックスはシンボルの終わりの部分をシンボルの初めに繰り返したものであり、受信機にデータが届く前にマルチパスを解決することができる。システムは典型的に、無線チャネルの遅延広がりで予想される時間的に最も長いものより長いＣＰを使用する。そして、この段階ではユーザ装置はそのＣＰの中のどこにピークが存在するかがわかっていないので、雑音フロアの推定値にマルチパス成分が含まれていないことを確実にするために、ＣＰサンプルの２倍のサンプルを除外する。ｍｉの長さは、正しいＰ−ＳＣＨタイミングを得るために、雑音フロアの推定がＤＬ送信に属するサンプルにわたって行われるように選定すべきである。ＬＴＥにおいては、ＳＣＨは１つの１ｍｓＤＬサブフレームの中央で送信される。従ってｍｉは、約０．５ｍｓに対応する数のサンプルに選定することができるであろう。従って、新しい判定変数Ｄｔ〜は（式４）に従って得られ（１３０）、Ｄｔ〜のピークtiming(peak)は（式５）に従って求められ、それによりタイミング（５ｍｓ）が見いだされる（１４０）。
【００３１】
図６に示す本発明の代替的実施形態においては、ユーザ装置は信号Ｙｔを受信し（２００）、整合フィルタリングを行ってＤｔを得る（２１０）。次に、時刻ｔにおける雑音フロアＮｔは、受信信号Ｙｔ（上述の実施形態では整合フィルタからの出力であったことと比較されたい）から推定する。例えば、時刻ｔにおける雑音フロアは、多くの数のサンプルにわたる｜Ｙｔ｜の２乗の平均を取ることにより推定することができる。マルチパス成分を含むと予想することができるサンプルの数に対応する、時刻ｔに近接したサンプルは除外する。この結果、新しい判定変数Ｄｔ〜は（式４）に従って求められ（２３０）、Ｄｔ〜のピークtiming(peak)は（式５）に従って求められ、それによりタイミング（５ｍｓ）が見いだされる（２４０）。
【００３２】
上記で開示した実施形態を参照すると、雑音フロアＮｔを推定する際には、代替的実施形態として任意の数のサンプルを選定して除外することができると理解されるべきである。さらに、サンプルの除外は、サンプルを完全に取り除くことでもよいし、または、雑音信号の推定値をマルチパス成分に対して独立にする、または依存性を弱くするような結果を達成する他の様式（例えば、（雑音）信号を抑圧するか、または（雑音）信号を疑似雑音で置き換える他の様式）を意味するものであってもよい。
【００３３】
図７は、無線通信システムにおいてセル（セルＩＤ）を識別する方法を示すフローチャートである。本方法の最初の５ステップは、上記の図５に関して開示して議論した方法の最初の５ステップに対応している。従って、ユーザ装置は、信号Ｙｔを受信し（３００）、整合フィルタリングを行ってＤｔを得る（３１０）。次に、時刻ｔにおける雑音フロアＮｔは、時刻ｔに近接したいくつかのサンプルを除いて、いくつかの数のシンボルにわたる、整合フィルタからの出力の平均値として推定する（３２０）。この結果、新しい判定変数Ｄｔ〜は（式４）に従って求められ（３３０）、そしてＤｔ〜のピークtiming(peak)は（式５）に従って求められ、それによりタイミング（５ｍｓ）が見いだされる（３４０）。さらに、ユーザ装置は、セカンダリ同期チャネルから信号を受信し（３５０）、その後に、セカンダリ同期チャネルからフレームタイミングとセルグループとを検出する（３６０）。最後に、例えば、利用可能なセルＩＤ符号との相関を取ることにより、セル識別子が検出される（３７０）。
【００３４】
代替的実施形態においては、本方法の最初の５ステップは、上記の図６に関して開示して議論した方法の最初の５ステップに対応している。図６では図５と異なり、時刻ｔにおける雑音フロアＮｔは受信信号Ｙｔ（以前の実施形態では整合フィルタからの出力であったことと比較されたい）から推定される。（式３）に対応する一般的な式は（式６）で与えられる。
【００３５】
【数６】
2011501487.tif 000008
ここで、Ｘｔは入力信号を表し、雑音フロアの推定はＸｔに基づいて行われる。特に、上記で開示した例では、ＸｔはＤｔまたはＹｔに等しい。
【００３６】
上記で開示した実施形態を参照すると、整合フィルタリングは、同期系列またはさらに一般的に、検出されるべきシンボルに応答する（すなわち、弁別または検出できると考えられる）、任意の種類のフィルタリングで置き換えることができるであろう。
【００３７】
図８はユーザ装置７００のブロック図を示す。ユーザ装置は、フロントエンド受信機（ＦｅＲＸ）７０２に接続されたアンテナ７０１を備える。フロントエンド受信機はアナログフィルタ（ＡＦ）７０３に接続され、アナログフィルタ（ＡＦ）７０３はアナログ／ディジタル変換器（ＡＤＣ）７０４に接続される。ＡＤＣは第１のディジタルフィルタ（ＤＦ１）７０５に接続され、第１のディジタルフィルタ（ＤＦ１）７０５は第２のディジタルフィルタ（ＤＦ２）７０８および高速フーリェ変換器（ＦＦＴ）７０６に接続される。ＦＦＴはセル識別子検出器（ＣＩＤＤｅｔ）７０７およびセル探索ユニット（ＣＳＵ）７０９に接続される。セル識別子検出器およびセル探索ユニットは制御ユニット（ＣＵ）７１０に接続される。セル探索ユニットにはクロック信号Ｆｓが供給される。１例として、Ｆｓ＝１．９２ＭＨｚである。
【００３８】
上記で議論したようにＬＴＥシステムにおいてＰ−ＳＣＨ検出器を使用した場合の動作では、ユーザ装置は初期セル探索を行うであろう。セル探索ユニット７０９は、高位レイヤの情報（使用する周波数帯、履歴リスト等といったもの）から、それがＦＤＤ動作かＴＤＤ動作かに関する情報を取得する。この高位レイヤの情報は、図８の中で接続「ＴＤＤ／ＦＤＤ」として示されるように、制御ユニット７１０によって与えられる。
【００３９】
ＦＤＤの場合には、セル探索ユニットは上記で議論したように、ＬＴＥに対して現在提案されているセル探索スキームに従ってセル探索を実行することができる。この場合の動作では、第２のディジタルフィルタ（ＤＦ２）７０８は、信号Ｙｔを受信してＰ−ＳＣＨ整合フィルタによって整合フィルタリングを行ってＤｔを得る。これは上記で記述した（式１）およびそれに関連する説明に従って実行される。適正なＰ−ＳＣＨ系列が制御ユニット７１０によってセル探索ユニット７０９に供給される。これは図８の中で「Ｐ−ＳＣＨ  ｓｅｑ」によって示されている。Ｄｔは検出器に供給される。Ｄｔのピークtiming(peak)は、検出器によって（式２）に従って求められ、これによりタイミング（５ｍｓ）（以後ｔｄと呼ぶ）が見いだされる。
【００４０】
制御ユニットがセル探索ユニットにＴＤＤ動作であるという情報を提供する場合、または、セル探索ユニットがＴＤＤ動作であるかＦＤＤ動作であるかを弁別しない場合には、ユーザ装置は、以下に示すセル探索スキームに従う。アンテナ７０１によって受信される無線信号は、フロントエンド受信機（ＦｅＲＸ）７０２に供給され、そこでベースバンド信号にダウンコンバートされる。信号の帯域幅はアナログフィルタ７０３（帯域幅ＢＷ０を有する）によってフィルタリングされ、アナログ／ディジタル変換器（ＡＤＣ）７０４によってアナログ信号からディジタル信号に変換される。その後に信号は第１のディジタルフィルタ（ＤＦ１）７０５によってディジタル的にフィルタリングされ、ＦＦＴ７０６に供給される。ＡＤＣ７０４から出力された信号はまた、第２のディジタルフィルタ（ＤＦ２）７０８（帯域幅ＢＷ１を有する）に供給され、第２のディジタルフィルタ（ＤＦ２）７０８は同期チャネルの帯域幅にフィルタリングを施す。１．２５ＭＨｚの帯域幅ＢＷ１（すなわち現在提案されているＬＴＥの同期チャネルの帯域幅である）を使用すると仮定する。フィルタリングされた信号はセル探索ユニット（ＣＳＵ）７０９に供給され、セル探索ユニット（ＣＳＵ）７０９はセル探索のためのＰ−ＳＣＨ検出およびＳ−ＳＣＨ検出を行う。
【００４１】
次に図９を参照する。図９はセル探索ユニット７０９の第１の段階８００のブロック図を示す。第１の段階８００は、Ｐ−ＳＣＨ整合フィルタ（Ｐ−ＳＣＨＭＦ）８０１を備え、Ｐ−ＳＣＨ整合フィルタ（Ｐ−ＳＣＨＭＦ）８０１は雑音フロア推定器（ＮＦＥ）８０２および算出ユニット（ＣＵ）８０３に接続される。雑音フロア推定器８０２は算出ユニット８０３に接続される。算出ユニット８０３は検出器（ＤＥＴ）８０４に接続される。
【００４２】
動作では、第２のディジタルフィルタ（ＤＦ２）７０８は、信号Ｙｔを受信し、Ｐ−ＳＣＨ整合フィルタ８０１により整合フィルタリングを行ってＤｔを得る。適正なＰ−ＳＣＨ系列が制御ユニット７１０によってセル探索ユニット７０９に供給される。これは図８の中で「P-SCH seq」によって示されている。時刻ｔにおける雑音フロアＮｔは、雑音フロア推定器８０２によって、時刻ｔに近接したいくつかのサンプルを除いて、いくつかの数のサンプルにわたる、整合フィルタからの出力の平均値として推定される。これは上記で記述した（式３）とそれに関連する説明に従って行われる。Ｐ−ＳＣＨ整合フィルタ８０１からの出力Ｄｔと雑音フロア推定器８０２からの出力Ｎｔとは算出ユニット８０３に供給される。算出ユニットは（式４）に従って比を算出し、これによりＤｔ〜が求められ、Ｄｔ〜は検出器８０４に供給される。Ｄｔ〜のピークｔｉｍｉｎｇ（ｐｅａｋ）は検出器８０４によって（式５）に従って求められ、これによりタイミングｔｄ（５ｍｓ）が見いだされる。
【００４３】
その後に、セル探索ユニット７０９は、セカンダリ同期チャネル（Ｓ−ＳＣＨ）を使用してフレームタイミングとセルグループとを検出する。適正なＳ−ＳＣＨ系列が制御ユニット７１０によってセル探索ユニット７０９に供給される。これは図８の中で「S-SCH seq」によって示されている。タイミング情報ｔｉはセル探索ユニット７０９からＦＦＴ７０６に供給される。タイミング情報ｔｉは検出器８０４によって見いだされたタイミングｔｄと同一であってもよいし、またはその関数であってもよい。ＦＦＴの出力ＹＲＳ〜（基準シンボル）はセル識別子検出器７０７に供給される。セル識別子検出器７０７は、受信した基準シンボルＹＲＳ〜と、セル探索ユニット７０９によって供給されるセルグループ情報と、制御ユニット７１０によって供給されるセル識別子符号とに基づいて、セルＩＤを検出する。セルグループ情報は図８の中で「c-grp」で示され、セル識別子符号は図８の中で「CIDcds」で示されている。
【００４４】
例えば、タイミングを求める時には、全ての可能なセルグループシグナチャのセカンダリ同期信号Ｓ−ＳＣＨに対する相関を取ることによりセルグループを検出する。さらに、セルグループの中のセルＩＤは、可能なセルＩＤシグナチャの基準（すなわち、ＯＦＤＭパイロット）シンボルに対する相関を取ることにより求めることができる。
【００４５】
本発明の代替的実施形態においては、セル探索ユニット７０９は、ＦＤＤ動作であるかＴＤＤ動作であるかを弁別しない。この場合には、ＦＤＤ動作とＴＤＤ動作の両方に対して同じセル探索スキームが施される。このような代替的実施形態においては、この情報は、制御ユニットによってセル探索ユニットに供給される必要がない（そして、この目的のための、対応するそれらの間の接続も省略することができる）場合がある。
【００４６】
本発明のさらなる代替的実施形態においては、（式７）を使用する代わりに（式８）を使用して検出器変数Ｄｔ〜を算出することができる（上述の（式４）とそれに関連した説明と比較されたい）。
【数７】
2011501487.tif 000009
【数８】
2011501487.tif 000010
ここに、ｆ（.）は関数である。このような関数の１つの例は、巡回プレフィックスＮｃｐの長さにわたってＤｔ〜を合計する関数である。従って、出力はマルチパスにわたる電力の総和に対応する。このように全ての信号電力の総和を求めることにより、検出動作を改善することができるであろう。
【００４７】
「ユーザ装置」は、例えば、セルラ電話機、無線ネットワークに接続可能なノートブック、または任意の種類の無線デバイスであってよいと理解されるべきである。一般的に表現すれば、ユーザ装置は通信デバイスのことをいう。
【図１】
2011501487.tif 000020
【図２】
2011501487.tif 000021
【図３】
2011501487.tif 000022
【図４】
2011501487.tif 000023
【図５】
2011501487.tif 000024
【図６】
2011501487.tif 000025
【図７】
2011501487.tif 000026
【図８】
2011501487.tif 000027
【図９】
2011501487.tif 000028
【手続補正書】
【提出日】平成22年6月9日(2010.6.9)
【手続補正１】
【補正対象書類名】特許請求の範囲
【補正対象項目名】全文
【補正方法】変更
【補正の内容】
【特許請求の範囲】
【請求項１】
無線チャネルの中のシンボルを検出するための方法であって、
前記無線チャネルからの信号を受信するステップ（１００、２００、３００）と、
前記シンボルに応答する第１のフィルタを通して前記受信信号をフィルタリングし、それにより第１の信号を得るステップ（１１０、２１０、３１０）と、
前記受信信号の雑音フロア推定値を求めるステップ（１２０、２２０、３２０）と、
前記第１の信号と前記雑音フロア推定値との比として表現される第２の信号を求めるステップ（１３０、２３０、３３０）と、
前記第２の信号の中のピークを検出することにより前記シンボルの存在を検出するステップ（１４０、２４０、３４０）とを備え、
雑音フロア推定値を求める前記ステップでは、前記雑音フロア推定値が推定される時刻の近傍の複数のサンプルを除外または抑圧することを特徴とする方法。
【請求項２】
雑音フロア推定値を求める前記ステップは、
前記推定を前記受信信号のディジタル表現に基づいて行うステップと、
マルチパス成分を含むと予想されるサンプルの数の２倍に本質的に対応する数のサンプルを除外または抑圧するステップと
を備えることを特徴とする請求項１に記載のシンボルを検出するための方法。
【請求項３】
雑音フロア推定値を求める前記ステップは、
前記推定を前記第１の信号に基づいて行うステップを備えることを特徴とする請求項１または２に記載のシンボルを検出するための方法。
【請求項４】
雑音フロア推定値を求める前記ステップは、
前記信号の電力および振幅の少なくともいずれかに応答する第２のフィルタを通して前記受信信号の表現をフィルタリングするステップを備えることを特徴とする請求項１乃至３のいずれか１項に記載の、シンボルを検出するための方法。
【請求項５】
時刻ｔにおける前記雑音フロア推定値Ｎｔは、
2011501487.tif 000029
なる式によって求められ、Ｘｔは前記信号であり、前記雑音フロア推定はＸｔに基づいて行われ、ｍ１およびｍ２は前記雑音フロアの推定に使用する前記サンプルであり、２ｎはマルチパス成分を含むと予想される前記サンプルであることを特徴とする請求項１乃至４のいずれか１項に記載のシンボルを検出するための方法。
【請求項６】
ｎは巡回プレフィックス（Ｎｃｐ）の時間に本質的に対応するサンプルの数に設定されることを特徴とする請求項５に記載のシンボルを検出するための方法。
【請求項７】
時刻ｔにおける前記第１の信号Ｄｔは、
2011501487.tif 000030
なる式によって求められ、Ｓｔ＊は長さＮの前記シンボルの列であり、ｙｔは前記受信信号を表すことを特徴とする請求項１乃至６のいずれか１項に記載のシンボルを検出するための方法。
【請求項８】
前記検出されたシンボルが存在するところのタイミングを検出するステップをさらに備えることを特徴とする請求項１乃至７のいずれか１項に記載のシンボルを検出するための方法。
【請求項９】
前記シンボルが存在するところの前記タイミングtiming(peak)は、
2011501487.tif 000031
なる式によって求められ、Ｄｔ〜は前記第２の信号を表すことを特徴とする請求項８に記載の、シンボルを検出するための方法。
【請求項１０】
前記無線チャネルが周波数分割複信で動作しているかを判定し、もしそうであれば、
前記第１のフィルタを通して前記受信信号のフィルタリングを行い、それにより第３の信号を得るステップと、
前記第３の信号の中のピークを検出することにより前記シンボルの前記存在を検出するステップとによって前記シンボルの検出を行うステップとをさらに備えることを特徴とする請求項１乃至９のいずれか１項に記載のシンボルを検出するための方法。
【請求項１１】
前記シンボルは同期シンボルであり、前記チャネルから受信された信号はプライマリ同期チャネル（３００）からの信号であり、
前記第２の信号の中のピークを検出することにより前記シンボルの存在とタイミングを検出するステップ（３４０）と、
セカンダリ同期チャネルからのセカンダリ同期信号を受信し、それにより第２の受信信号を得るステップ（３５０）と、
前記第２の受信信号からフレームタイミングとセルグループとを検出するステップ（３６０）と、
利用可能なセルＩＤ符号と相関をとることにより前記セルＩＤを検出するステップ（３７０）とを備えることを特徴とする請求項１に記載の方法。
【請求項１２】
前記第２の受信信号からフレームタイミングとセルグループとを検出する前記ステップは、
前記第２の信号の中のピークによって検出された前記シンボルの前記タイミングを利用して前記フレームタイミングとセルグループとを検索するステップを備えることを特徴とする請求項１１に記載の方法。
【請求項１３】
雑音フロア推定値を求める前記ステップは、
前記推定を前記受信信号のディジタル表現に基づいて行うステップと、
マルチパス成分を含むと予想されるサンプルの数の２倍に本質的に対応する数のサンプルを除外または抑圧するステップと
を備えることを特徴とする請求項１１または１２に記載の方法。
【請求項１４】
雑音フロア推定値を求める前記ステップは、
前記推定を前記第１の信号に基づいて行うステップを備えることを特徴とする請求項１１乃至１３のいずれか１項に記載の方法。
【請求項１５】
雑音フロア推定値を求める前記ステップは、
前記信号の電力および振幅の少なくともいずれかに応答する第２のフィルタを通して前記受信信号の表現をフィルタリングするステップを備えることを特徴とする請求項１１乃至１４のいずれか１項に記載の方法。
【請求項１６】
時刻ｔにおける雑音フロア推定値Ｎｔは、
2011501487.tif 000032
なる式によって求められ、Ｘｔは前記信号であり、前記雑音フロア推定はＸｔに基づいて行われ、ｍ１およびｍ２は前記雑音フロアの推定に使用する前記サンプルであり、２ｎはマルチパス成分を含むと予想される前記サンプルであることを特徴とする請求項１１乃至１５のいずれか１項に記載の方法。
【請求項１７】
ｎは巡回プレフィックス（Ｎｃｐ）の時間に本質的に対応するサンプルの数に設定されることを特徴とする請求項１６に記載の方法。
【請求項１８】
時刻ｔにおける前記第１の信号Ｄｔは、
2011501487.tif 000033
なる式によって求められ、Ｓｔ＊は長さＮの前記シンボルの列であり、ｙｔは前記受信信号を表すことを特徴とする請求項１１乃至１７のいずれか１項に記載の方法。
【請求項１９】
前記検出されたシンボルが存在するところのタイミングを検出するステップをさらに備えることを特徴とする請求項１１乃至１８のいずれか１項に記載の方法。
【請求項２０】
前記シンボルが存在するところの前記タイミングtiming(peak)は、
2011501487.tif 000034
なる式によって求められ、Ｄｔ〜は前記第２の信号を表すことを特徴とする請求項１９に記載の方法。
【請求項２１】
前記無線チャネルが周波数分割複信で動作しているかを判定し、もしそうであれば、
同期シンボルに応答する前記第１のフィルタを通して前記第１の受信信号のフィルタリングを行い、それにより第４の信号を得るステップと、
前記第４の信号の中のピークを検出することにより、前記シンボルの前記存在とタイミングとを検出するステップと、
セカンダリ同期チャネルから信号を受信し、それにより第２の受信信号を得るステップと、
前記第２の受信信号からフレームタイミングとセルグループとを検出するステップと、
利用可能なセルＩＤ符号との相関をとることにより前記セルＩＤを検出するステップと
によって前記セルＩＤの検出を行うステップをさらに備えることを特徴とする請求項１１乃至２０のいずれか１項に記載の方法。
【請求項２２】
前記第２の受信信号からフレームタイミングとセルグループとを検出する前記ステップは、
前記第４の信号の中のピークによって検出された前記シンボルの前記タイミングを利用して前記フレームタイミングとセルグループとを検索するステップを備えることを特徴とする請求項２１に記載の方法。
【請求項２３】
無線チャネルのシンボルを検出することができる通信デバイス（７００）であって、
前記無線チャネルからの信号を受信するための受信機（７０２−７０５）と、
前記受信機に接続され、前記シンボルに応答する第１のフィルタ（８０１）と、
前記受信機または前記第１のフィルタに接続され、前記受信信号の雑音フロアに依存した信号を供給するよう構成された雑音フロア推定器（８０２）と、
前記第１のフィルタと前記雑音フロア推定器とに接続され、前記第１のフィルタからの前記信号と前記雑音フロア推定器からの前記信号との間の比を算出するよう構成された算出ユニット（８０３）と、
前記算出ユニットに接続され、前記算出ユニットからの前記信号の中のピークを検出するよう構成された検出器（８０４）とを備え、
前記雑音フロア推定器は、前記雑音フロアに依存した前記信号が供給される時刻の近傍の複数のサンプルを除外または抑圧することを特徴とする通信デバイス。
【請求項２４】
前記雑音フロア推定器は、マルチパス成分を含むと予想されるサンプルの数の２倍に本質的に対応する数のサンプルを除外または抑圧するよう構成されることを特徴とする請求項２３に記載の通信デバイス。
【請求項２５】
前記雑音フロア推定器は、前記信号の電力および振幅の少なくともいずれかに応答する第２のフィルタを備えることを特徴とする請求項２３または２４に記載の通信デバイス。
【請求項２６】
前記雑音フロア推定器は、時刻ｔにおける前記雑音フロア推定値Ｎｔを、
2011501487.tif 000035
なる式によって算出するよう構成され、Ｘｔは前記信号であり、前記雑音フロア推定はＸｔに基づいて行われ、ｍ１およびｍ２は前記雑音フロアの推定に使用する前記サンプルであり、２ｎはマルチパス成分を含むと予想される前記サンプルであることを特徴とする請求項２３乃至２５のいずれか１項に記載の通信デバイス。
【請求項２７】
ｎは巡回プレフィックス（Ｎｃｐ）の時間に本質的に対応するサンプルの数に設定されることを特徴とする請求項２６に記載の通信デバイス。
【請求項２８】
前記第１のフィルタは、時刻ｔにおける信号Ｄｔを
2011501487.tif 000036
なる式によって算出するよう構成され、Ｓｔ＊は長さＮの前記シンボルの列であり、ｙｔは前記受信信号を表すことを特徴とする請求項２３乃至２７のいずれか１項に記載の通信デバイス。
【請求項２９】
前記検出されたシンボルが存在するところの前記タイミングを検出するよう構成されたセル探索ユニット（７０９）をさらに備えることを特徴とする請求項２３乃至２８のいずれか１項に記載の通信デバイス。
【請求項３０】
前記セル探索ユニットは、timing(peak)を、
2011501487.tif 000037
なる式によって算出するよう構成され、Ｄｔ〜は前記第１のフィルタからの前記信号と前記雑音フロア推定器からの前記信号との間の比を表すことを特徴とする請求項２９に記載の通信デバイス。
【請求項３１】
前記セル探索ユニットに接続され、前記検出されたシンボルが存在するところの前記タイミングに応答するよう構成された高速フーリェ変換器ＦＦＴをさらに備えることを特徴とする請求項２９または３０に記載の通信デバイス。
【請求項３２】
前記無線チャネルが周波数分割複信かまたは時分割複信のどちらで動作しているかを判定するよう構成された制御ユニット（７１０）をさらに備えることを特徴とする請求項２３乃至３１のいずれか１項に記載の通信デバイス。
【請求項３３】
前記セル探索ユニットと前記ＦＦＴと前記制御ユニットとに接続され、利用可能なセルＩＤ符号との相関をとることにより前記セルＩＤを検出するよう構成された符号識別子検出器（７０７）をさらに備えることを特徴とする請求項２３乃至３２のいずれか１項に記載の通信デバイス。
【請求項３４】
前記デバイスはセルラ電話機であることを特徴とする請求項２３乃至３３のいずれか１項に記載の通信デバイス。
【国際調査報告】
2011501487.tif 000038
2011501487.tif 000039
2011501487.tif 000040